(57)【要約】【課題】作成する文書とともに他のデータを送信する場合であっても、容易に文書を作成して送信することができるようにする。【解決手段】表示部にメール作成画面を表示させて（ＳＡ４）、メール作成処理を実行する（ＳＡ５）。ユーザは、メール本文中において添付の画像を挿入したい箇所で、インライン指定用の特定文字（「カメラ絵文字」）を入力する。すると、ＳＡ６でメール本文中に特定文字の挿入があったと判断し（ＳＡ６：ＹＥＳ）、挿入箇所に特定文字を挿入して表示する（ＳＡ７）。予め記憶されている画像ファイル名からいずれかの画像ファイル名が選択されたならば、この選択された画像ファイル名を当該メールと関連付けて、ワークメモリに記憶する（ＳＡ１０）。送信指示が検出されたならば（ＳＡ１１；ＹＥＳ）、当該メールに、選択されたファイル名の画像データを添付してファイル名とともに送信する（ＳＡ１２）。【選択図】      図６
2004355180.tif 000002
【特許請求の範囲】
【請求項１】
文書を作成する作成手段と、
前記文書とともに送信する出力データを記憶する記憶手段と、
この記憶手段に記憶された出力データを特定付ける識別情報を前記作成手段によって作成される文書に混在させて表示する表示手段と、
この表示手段に表示された文書と、この文書に混在される識別情報に対応する出力データとをデータ送信する送信手段と
を備えることを特徴とするデータ送信装置。
【請求項２】
前記識別情報は、前記表示手段に表示される文書を構成する各文字と同じ表示範囲内に表示されることを特徴とする請求項１に記載のデータ送信装置。
【請求項３】
前記識別情報は、前記出力データの種類を特定付ける絵文字であることを特徴とする請求項１または２に記載のデータ送信装置。
【請求項４】
撮像手段を更に備え、
前記出力データとは、この撮像手段によって撮像された画像であることを特徴とする請求項１乃至３の何れかに記載のデータ送信装置。
【請求項５】
外部より送信された文書とこの文書とともに送信され出力データとを受信する受信手段と、
この受信手段によって受信された文書を表示する受信文書表示手段と、
この受信文書表示手段によって表示された文書に混在して、前記受信された出力データを特定付ける識別情報が表示されている場合、この識別情報に対応する受信された出力データを出力する出力手段と
を備えることを特徴とするデータ受信装置。
【請求項６】
前記識別情報は、前記受信文書表示手段に表示される文書を構成する各文字と同じ表示範囲内に表示されることを特徴とする請求項５に記載のデータ受信装置。
【請求項７】
前記識別情報は、前記出力データの種類を特定付ける絵文字であることを特徴とする請求項５または６に記載のデータ受信装置。
【請求項８】
前記出力データとは、撮像された画像であることを特徴とする請求項５乃至６の何れかに記載のデータ送信装置。
【請求項９】
データ送信装置とデータ受信装置とで構成されるデータ通信システムであって、
前記データ送信装置は、
文書を作成する作成手段と、
前記文書とともに送信する出力データを記憶する記憶手段と、
この記憶手段に記憶された出力データを特定付ける識別情報を前記作成手段によって作成される文書に混在させて表示する表示手段と、
この表示手段に表示された文書と、この文書に混在される識別情報に対応する出力データとをデータ送信する送信手段とを備え、
前記データ受信装置は、
前記データ送信装置の送信手段より送信された文書と出力データとを受信する受信手段と、
この受信手段によって受信された文書を表示する受信文書表示手段と、
この受信文書表示手段によって表示された文書に混在して、前記受信された出力データを特定付ける識別情報が表示されている場合、この識別情報に対応する受信された出力データを出力する出力手段と
を備えることを特徴とするデータ通信システム。
【請求項１０】
前記識別情報は、前記表示手段に表示される文書を構成する各文字と同じ表示範囲内に表示されることを特徴とする請求項９に記載のデータ通信システム。
【請求項１１】
前記識別情報は、前記出力データの種類を特定付ける絵文字であることを特徴とする請求項９または１０に記載のデータ通信システム。
【請求項１２】
前記データ送信装置は撮像手段を更に備え、
前記出力データとは、この撮像手段によって撮像された画像であることを特徴とする請求項９乃至１１の何れかに記載のデータ通信システム。
【請求項１３】
文書を作成する作成ステップと、
予めメモリに記憶された出力データを特定付ける識別情報を前記作成ステップにて作成される文書に混在させて表示部に表示させる表示ステップと、
この表示ステップにて表示された文書と、この文書に混在される識別情報に対応する出力データとをデータ送信する送信ステップと
を含むことを特徴とするデータ送信方法。
【請求項１４】
外部より送信された文書とこの文書とともに送信された出力データとを受信する受信ステップと、
この受信ステップにて受信された文書を表示部に表示させる表示ステップと、
この表示ステップにて表示されている文書に混在して、前記受信された出力データを特定付ける識別情報が表示されている場合、この識別情報に対応する受信された出力データを出力する出力ステップと
を含むことを特徴とするデータ出力方法。
【請求項１５】
文書を作成する作成ステップと、
予めメモリに記憶された出力データを特定付ける識別情報を前記作成ステップにて作成される文書に混在させて表示部に表示させる第１の表示ステップと、
この第１の表示ステップにて表示された文書と、この文書に混在される識別情報に対応する出力データとをデータ送信する送信ステップと、
外部より送信された文書とこの文書とともに送信された出力データとを受信する受信ステップと、
この受信ステップにて受信された文書を表示部に表示させる第２の表示ステップと、
この第２の表示ステップにて表示されている文書に混在して、前記受信された出力データを特定付ける識別情報が表示されている場合、この識別情報に対応する受信された出力データを出力する出力ステップと
を含むことを特徴とするデータ送受信方法。
【請求項１６】
データ送信装置が有するコンピュータを、
文書を作成する作成手段と、
予めメモリに記憶された出力データを特定付ける識別情報を前記作成手段にて作成される文書に混在させて表示部に表示させる表示制御手段と、
この表示制御手段により表示部に表示された文書と、この文書に混在される識別情報に対応する出力データとをデータ送信する送信手段と
して機能させることを特徴とするデータ送信処理プログラム。
【請求項１７】
データ受信装置が有するコンピュータを、
外部より送信された文書とこの文書とともに送信された出力データとを受信する受信手段と、
この受信手段によって受信された文書を表示部に表示させる表示制御手段と、
前記表示部に表示されている文書に混在して、前記受信された出力データを特定付ける識別情報が表示されている場合、この識別情報に対応する受信された出力データを出力する出力手段と
して機能させることを特徴とするデータ受信処理プログラム。
【請求項１８】
データ送受信装置が有するコンピュータを、
文書を作成する作成手段と、
予めメモリに記憶された出力データを特定付ける識別情報を前記作成手段にて作成される文書に混在させて表示部に表示させる第１の表示制御手段と、
この第１の表示制御手段により表示部に表示された文書と、この文書に混在される識別情報に対応する出力データとをデータ送信する送信手段と、
外部より送信された文書とこの文書とともに送信された出力データとを受信する受信手段と、
この受信手段によって受信された文書を表示部に表示させる第２の表示制御手段と、
この第２の表示制御手段によって表示部に表示されている文書に混在して、前記受信された出力データを特定付ける識別情報が表示されている場合、この識別情報に対応する受信された出力データを出力する出力手段と
して機能させることを特徴とするデータ送受信処理プログラム。
【発明の詳細な説明】
【０００１】
【発明の属する技術分野】
本発明は、文書データを取り扱うデータ送信装置、データ受信装置、データ通信システム、データ送信方法、データ出力方法及びデータ処理プログラムに関する。
【０００２】
【従来の技術】
従来、カメラ機能とメール送受信機能とを具備した携帯機器が知られている。この携帯機器は、カメラにより撮影された静止画像が表示器に表示されている撮影モード中に、ユーザによるメール送信操作を監視し、メール送信操作が行われた場合に送信モードを起動する。そして、このメール送信モードが起動された状態で、ユーザがメール送信に必要な情報を入力してメール本文を作成すると、この作成されたメール本文に、前記表示器に表示中の静止画像の符号化データを添付して送信するものである（例えば、特許文献１参照。）。
【０００３】
【特許文献１】
特開２００２−３５９６９５号公報
【０００４】
【発明が解決しようとする課題】
しかしながら、前記メール本文を作成する際には入力された文字が順次表示器に表示され、この表示された文字を視認しつつメール本文の作成を行う。一方、携帯機器が有する表示器の表示面積には制約があり、したがって表示器に静止画像が表示されている状態では、当該表示器に表示可能なメール本文の文字数は大幅に減少することとなる。このため、限定された文字数で表示されている作成中のメール本文の一部から、その前後の内容や脈絡を認識したり推敲することが困難となり、メール本文を構成する文書を作成する際の作業も困難となってしまう。
【０００５】
本発明は、このような従来の課題に鑑みてなされたものであり、作成する文書とともに他のデータを送信する場合であっても、容易に文書を作成して送信することのできるデータ送信装置、及びこれに関連するデータ受信装置、データ通信システム、データ送信方法、データ出力方法及びデータ処理プログラムを提供することを目的とするものである。
【０００６】
【課題を解決するための手段】
前記課題を解決するために請求項１記載の発明に係るデータ送信装置にあっては、文書を作成する作成手段と、前記文書とともに送信する出力データを記憶する記憶手段と、この記憶手段に記憶された出力データを特定付ける識別情報を前記作成手段によって作成される文書に混在させて表示する表示手段と、この表示手段に表示された文書と、この文書に混在される識別情報に対応する出力データとをデータ送信する送信手段とを備える。
【０００７】
したがって、作成手段による作成時において、表示手段には出力データ自体は表示されず、この出力データを特定付ける識別情報が文書に混在して表示される。よって、出力データの存在により相対的に減少させることなく、長文の文書を表示手段に表示させることができる。これにより、前後の内容や脈絡を認識したり推敲しつつ文書を作成することができ、文書を作成する際の作業が容易となる。なお、表示手段に表示された文書と、この文書に混在される識別情報に対応する出力データとが送信されるので、受信側においては出力データを含む文書の表示が可能となる。
【０００８】
また、請求項２記載の発明に係るデータ送信装置にあっては、前記識別情報は、前記表示手段に表示される文書を構成する各文字と同じ表示範囲内に表示される。したがって、文書作成者は、識別情報を文書の構成文字と同等に認識しつつ文書を作成することができ、文書を作成が一層容易となる。
【０００９】
また、請求項３記載の発明に係るデータ送信装置にあっては、前記識別情報は、前記出力データの種類を特定付ける絵文字である。したがって、文書作成者は文書中に絵文字を挿入するメール作成と同様の感覚で、容易に識別情報が混在する文書を作成することができる。
【００１０】
また、請求項４記載の発明に係るデータ送信装置にあっては、撮像手段を更に備え、前記出力データとは、この撮像手段によって撮像された画像である。したがって、作成手段による作成時において、表示手段には画像自体は表示されず、この画像を特定付ける識別情報が文書に混在して表示される。よって、画像の存在により相対的に減少させることなく、長文の文書を表示手段に表示させることができる。これにより、前後の内容や脈絡を認識したり推敲しつつ文書を作成することができ、文書を作成する際の作業が容易となる。また、表示手段に表示された文書と、この文書に混在される識別情報に対応する画像とが送信されるので、受信側においては画像を含む文書の表示が可能となる。
【００１１】
また、請求項５記載の発明に係るデータ受信装置にあっては、外部より送信された文書とこの文書とともに送信され出力データとを受信する受信手段と、この受信手段によって受信された文書を表示する受信文書表示手段と、この受信文書表示手段によって表示された文書に混在して、前記受信された出力データを特定付ける識別情報が表示されている場合、この識別情報に対応する受信された出力データを出力する出力手段とを備える。したがって、出力手段が識別情報に対応する受信された出力データを出力することによって、受信文書表示手段に表示されている受信文書に混在している識別情報の部分に替えて、出力データに基づく画像等の表示を行うことができる。
【００１２】
また、請求項６記載の発明に係るデータ受信装置にあっては、前記識別情報は、前記受信文書表示手段に表示される文書を構成する各文字と同じ表示範囲内に表示される。したがって、各文字と同じ表示範囲内に表示された識別情報の部分に出力データに基づく表示を行うことができる。
【００１３】
また、請求項７記載の発明に係るデータ受信装置にあっては、前記識別情報は、前記出力データの種類を特定付ける絵文字である。したがって、絵文字が混在する文書が表示されることとなり、一連の文書が読みやすいものとなる。
【００１４】
また、請求項８記載の発明に係るデータ受信装置にあっては、前記出力データとは、撮像された画像である。したがって、受信文書表示手段に表示された文書中の識別情報が存在していた部分を撮像された画像に替えた文書を表示することができる。
【００１５】
また、請求項９記載の発明にあっては、データ送信装置とデータ受信装置とで構成されるデータ通信システムであって、前記データ送信装置は、文書を作成する作成手段と、前記文書とともに送信する出力データを記憶する記憶手段と、この記憶手段に記憶された出力データを特定付ける識別情報を前記作成手段によって作成される文書に混在させて表示する表示手段と、この表示手段に表示された文書と、この文書に混在される識別情報に対応する出力データとをデータ送信する送信手段とを備え、前記データ受信装置は、前記データ送信装置の送信手段より送信された文書と出力データとを受信する受信手段と、この受信手段によって受信された文書を表示する受信文書表示手段と、この受信文書表示手段によって表示された文書に混在して、前記受信された出力データを特定付ける識別情報が表示されている場合、この識別情報に対応する受信された出力データを出力する出力手段とを備える。
【００１６】
したがって、送信装置側においては、文書とともに出力データを送信する場合であっても文書を作成する際の作業が容易となり、受信装置側においては出力データを含む文書の表示が可能となるシステムを確立することができる。
【００１７】
また、請求項１０記載の発明に係るデータ受信装置にあっては、前記識別情報は、前記表示手段に表示される文書を構成する各文字と同じ表示範囲内に表示される。したがって、送信装置側において文書作成者は、識別情報を文書の構成文字と同等に認識しつつ文書を作成することができ、受信装置側においては、各文字と同じ表示範囲内に表示された識別情報の部分に出力データに基づく表示を行うことができるシステムを確立することができる。
【００１８】
また、請求項１１記載の発明に係るデータ受信装置にあっては、前記識別情報は、前記出力データの種類を特定付ける絵文字である。したがって、送信装置側においては、文書作成者が文書中に絵文字を挿入するメール作成と同様の感覚で、容易に識別情報が混在する文書を作成することができ、受信装置側においては各文字と同じ表示範囲内に表示された識別情報の部分に出力データに基づく表示を行うことができるシステムを確立することができる。
【００１９】
また、請求項１２記載の発明に係るデータ受信装置にあっては、前記データ送信装置は撮像手段を更に備え、  前記出力データとは、この撮像手段によって撮像された画像である。したがって、送信装置側においては、前後の内容や脈絡を認識したり推敲しつつ文書を作成することができ、受信装置側においては受信文書表示手段に表示された文書中の識別情報が存在していた部分を撮像された画像に替えた文書を表示することができるシステムを確立することができる。
【００２０】
また、請求項１３記載の発明に係るデータ送信方法にあっては、文書を作成する作成ステップと、予めメモリに記憶された出力データを特定付ける識別情報を前記作成ステップにて作成される文書に混在させて表示部に表示させる表示ステップと、この表示ステップにて表示された文書と、この文書に混在される識別情報に対応する出力データとをデータ送信する送信ステップとを含む。したがって、記載したステップに従って処理を実行することにより、請求項１記載の発明と同様の作用効果を奏する。
【００２１】
また、請求項１４記載の発明に係るデータ出力方法にあっては、外部より送信された文書とこの文書とともに送信された出力データとを受信する受信ステップと、この受信ステップにて受信された文書を表示部に表示させる表示ステップと、この表示ステップにて表示されている文書に混在して、前記受信された出力データを特定付ける識別情報が表示されている場合、この識別情報に対応する受信された出力データを出力する出力ステップとを含む。したがって、記載したステップに従って処理を実行することにより、請求項５記載の発明と同様の作用効果を奏する。
【００２２】
また、請求項１５記載の発明に係るデータ送受信方法にあっては、文書を作成する作成ステップと、予めメモリに記憶された出力データを特定付ける識別情報を前記作成ステップにて作成される文書に混在させて表示部に表示させる第１の表示ステップと、この第１の表示ステップにて表示された文書と、この文書に混在される識別情報に対応する出力データとをデータ送信する送信ステップと、外部より送信された文書とこの文書とともに送信された出力データとを受信する受信ステップと、この受信ステップにて受信された文書を表示部に表示させる第２の表示ステップと、この第２の表示ステップにて表示されている文書に混在して、前記受信された出力データを特定付ける識別情報が表示されている場合、この識別情報に対応する受信された出力データを出力する出力ステップとを含む。したがって、記載したステップに従って処理を実行することにより、送信時においては、文書とともに出力データを送信する場合であっても文書を作成する際の作業が容易となり、受信時においては出力データを含む文書の表示が可能となる。
【００２３】
また、請求項１６記載の発明に係るデータ送信処理プログラムにあっては、データ送信装置が有するコンピュータを、文書を作成する作成手段と、予めメモリに記憶された出力データを特定付ける識別情報を前記作成手段にて作成される文書に混在させて表示部に表示させる表示制御手段と、この表示制御手段により表示部に表示された文書と、この文書に混在される識別情報に対応する出力データとをデータ送信する送信手段として機能させる。したがって、前記コンピュータがこのプログラムに従って処理を実行することにより、請求項１記載の発明と同様の作用効果を奏する。
【００２４】
また、請求項１７記載の発明に係るデータ受信処理プログラムにあっては、データ受信装置が有するコンピュータを、外部より送信された文書とこの文書とともに送信された出力データとを受信する受信手段と、この受信手段によって受信された文書を表示部に表示させる表示制御手段と、前記表示部に表示されている文書に混在して、前記受信された出力データを特定付ける識別情報が表示されている場合、この識別情報に対応する受信された出力データを出力する出力手段として機能させる。したがって、前記コンピュータがこのプログラムに従って処理を実行することにより、請求項５記載の発明と同様の作用効果を奏する。
【００２５】
また、請求項１８記載の発明に係るデータ受信処理プログラムにあっては、データ送受信装置が有するコンピュータを、文書を作成する作成手段と、予めメモリに記憶された出力データを特定付ける識別情報を前記作成手段にて作成される文書に混在させて表示部に表示させる第１の表示制御手段と、この第１の表示制御手段により表示部に表示された文書と、この文書に混在される識別情報に対応する出力データとをデータ送信する送信手段と、外部より送信された文書とこの文書とともに送信された出力データとを受信する受信手段と、この受信手段によって受信された文書を表示部に表示させる第２の表示制御手段と、この第２の表示制御手段によって表示部に表示されている文書に混在して、前記受信された出力データを特定付ける識別情報が表示されている場合、この識別情報に対応する受信された出力データを出力する出力手段として機能させる。したがって、前記コンピュータがこのプログラムに従って処理を実行することにより、送信時においては、文書とともに出力データを送信する場合であっても文書を作成する際の作業が容易となり、受信時においては出力データを含む文書の表示が可能となる。
【００２６】
【発明の実施の形態】
【００２７】
以下、本発明を携帯電話によるのメール送受信システムに適用した実施の形態を図に従って説明する。図１は、本実施の形態に係るメール送受信システムの構成を示すブロック図である。図において、携帯電話（無線通信端末）１ａ，１ｂは、撮像機能と画像メモリとを備え、画像メモリに格納された画像（写真）が添付された画像付きメールをシステム（特に、後述するメールサーバ３３、６３）に送信する機能、画像（写真）付きメールを受信する機能、及び通話機能を備えている。無線基地局２、２は、携帯電話１ａ，１ｂが加入する通信サービス事業者（インターネットプロバイダを含む）３に接続する。
【００２８】
通信サービス事業者（インターネットプロバイダを含む）３は、主なサービスとして提供している携帯電話サービスに必要とする交換機３４の他、後述のＷＷＷ５に接続するためのシステム（メインサーバ３１、Ｗｅｂサーバ３２、ルータ３５）、メールシステム（メールサーバ３３）を備えている。また、無線基地局２をＡＰ（アクセス・ポイント）として、携帯電話１ａ，１ｂをＷＷＷ５に接続させるための機能も備えている。
【００２９】
通信回線網４は、アナログ回線、デジタル回線、広域ＬＡＮ、ＡＤＳＬ回線を含む、既知の通信回線網であり、ＷＷＷ５は所謂インターネットである。
【００３０】
インターネットサービスプロバイダ（以下、ＩＳＰと称す）６は、交換機３４を除いて、通信サービス事業者３と同じ構成であり、ＷＷＷ５に接続するためのシステム（便宜的にメインサーバ６１、Ｗｅｂサーバ６２、ルータ６５）、メールシステム（メールサーバ６３）を備えている。パーソナルコンピュータ７は、一般家庭に存在するケースを示すためのものであり、通信回線網４、ＩＳＰ６を介して、ＷＷＷ５に接続したり、メールの送受信を行う機能を備えている。
【００３１】
図２（ａ）（ｂ）は、携帯電話１ａ、１ｂの外観図（開状態：正面図及び背面図）である。本実施の形態における携帯電話１ａ、１ｂは、蓋部と本体部とからなる二つ折りの構造である。アンテナ１１は、蓋部の背面に設けられており、伸縮自在となっている。スピーカ１２は、蓋部の前面側に設けられており、音声出力を行う。表示部（メイン表示部）１３は、カラー液晶であり、１２０ドット（幅）×１６０ドット（高さ）である。
【００３２】
キー操作部１４は、本体部の前面に設けられており、各種機能キー（メールキー１４１、アドレスキー１４２、ファンクションキー１４３）、テンキー１４４などからなる。メールキー１４１は、メール機能を起動し、メールメニューを表示するためのものである。アドレスキー１４２は、送信先のメールアドレスを選択する際に用いるアドレス帳を開くためのものである。テンキー１４４は、電話番号や文字の入力、及び絵文字の入力の際に使用するものである。マイク１５は、本体部の下部に設けられており、音声入力を行う。
【００３３】
サブ表示部１６は、蓋部の背面に設けられている。背面キー１７は、透明、または半透明部材で構成され、着信の際、発光するするＬＥＤ１７１を内蔵している。報知スピーカ１９は、着信などを報知するものであり、蓋部本体部に閉じた状態でも報知音が聞こえるように、本体部の裏面に配置されている。
【００３４】
図３は、携帯電話１ａ、１ｂの構成を示すブロック図である。無線送受信部２０は、アンテナ１１を介してＣＤＭＡ方式の無線信号を受信し、後段の無線信号処理部２１に出力する一方、無線信号処理部２１から入力された各種データを無線信号に変調してアンテナ１１より出力する。無線信号処理部２１は、無線送受信部２０で受信した各種データを復調して、音声データであれば、音声信号処理部に出力し、パケット送信されたデータ（メールデータ等）であれば、ＲＡＭ２９に出力する。また一方、送信の際には、送信するための音声データやデータを変調するなどの無線通信に必要な処理をする。制御部２２は、各種動作及び全体の動作を制御する。
【００３５】
画像メモリ２３は、撮像部（撮像レンズ１８、撮像モジュール１８１、ＤＳＰ１８２）で撮像され、後述する画像プログラム領域２４２に格納されているプログラムにより圧縮符号化された画像ファイルや、ＷＷＷ５を介してダウンロードした画像ファイルをファイル名とともに格納するためのメモリである。ＲＯＭ２４は、書換可能なＦｌａｓｈ  ＲＯＭで構成され、本発明の特徴となる、後述のフローチャートにより示すプログラム等の各種プログラムを格納する。
【００３６】
ドライバ２５は、表示部１３を駆動し、ドライバ２６は、サブ表示部１６を駆動する。加入者情報記憶部２７は、本携帯電話１を呼び出すための電話番号や、操作者（加入者）のＩＤ等、プロフィールデータを格納する。システムＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。
【００３７】
音声処理部２００は、マイク１５から入力された音声信号を符号化処理したり、無線信号処理部２１から出力された音声データに基づいて復号化してスピーカ１２を駆動させ、対応する音声を出力する。撮像モジュール１８１は、ＣＣＤ、若しくはＣＭＯＳで構成され、カラー画像を取り込む。ＤＳＰ１８２は、撮像モジュール１８１により取り込まれた画像を符号化処理する。報知デバイス１９２は、報知スピーカ１９、バイブレータ１９１、ＬＥＤ１７１を駆動させるためのドライバである。
【００３８】
図４は、ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、画像処理プログラム領域２４２及びその他のプログラム領域２４３からなる。
【００３９】
メールソフトウェアプログラム領域２４１は、アプリケーション本体を格納すする。画像処理プログラム領域２４２は、撮像部（撮像レンズ１８、撮像モジュール１８１、ＤＳＰ１８２）で撮像され、デジタル符号化された画像を、ＪＰＥＧ方式やＰＮＧ、ＧＩＦ方式で圧縮処理するための画像処理プログラムを格納する。その他プログラム領域は、ダウンロードしたプログラムを含む上記以外のアプリケーションプログラムなどを格納する。
【００４０】
図５は、ＲＡＭ２９のメモリエリアの構成を示す概念図である。ＲＡＭ２９は、アドレス帳データ格納領域２９１、メールデータ格納領域２９２、添付ファイル格納領域２９３及びその他・ワークメモリ２９４からなる。アドレス帳データ格納領域２９１は、氏名、電話番号、メールアドレス等を一組のレコードとして複数記憶する。メールデータ格納領域２９２は、メールソフトウェアを使用して作成されたメールデータや、受信したメールデータを格納する。添付ファイル格納領域２９３は、メールにファイルが添付されている場合、このファイルを格納する。その他・ワークメモリ２９４は、その他のワークメモリとして各種データ格納する。
【００４１】
次に、以上の構成に係る本実施形態の動作について説明する。本実施の形態においては、画像付きメールを携帯電話１ａのユーザが、携帯電話１ｂ宛てに作成・送信し、携帯電話１ｂではこれを受信して表示する場合について述べる。
【００４２】
まず、携帯電話１ａの制御部２２は、ＲＯＭ２４に格納されているプログラムに基づき、着信受信待受け状態にあると、図６に示すフローチャートに従って処理を実行する。すなわち、先ずユーザのメールキー１４１の操作によるメールモードの選択が検出されたか否かを判断する（ステップＳＡ１）。メールモードの選択が検出されず、他のモードの選択が検出された場合には（ステップＳＡ１；ＮＯ）、他のモードの処理に移行する。
【００４３】
メールモードの選択が検出された場合には（ステップＳＡ１；ＹＥＳ）、メールモードにおいて選択可能なメニューを表示部１３に表示させる（ステップＳＡ２）。次に、この表示部１３に表示されたメニューの中からメール作成モードの選択が検出されたか否かを判断する（ステップＳＡ３）。このメール作成モードが選択されなかった場合には（ステップＳＡ３；ＮＯ）、モード（メールモード）抜けが検出されたか否かを判断する（ステップＳＡ１３）。そして、モード抜けが検出された場合には（ステップＳＡ１３；ＹＥＳ）、メールモード処理を終了し（エンド）、モード抜けが検出されなかった場合には（ステップＳＡ１３；ＮＯ）、検出されたモードに応じて他のモードに移行する。
【００４４】
また、ステップＳＡ３でメール作成モードの選択が検出された場合には、表示部１３にメール作成画面を表示させて（ステップＳＡ４）、メール作成処理を実行する（ステップＳＡ５）。すなわち、操作者がメール作成モードを選択した後テンキー１４４等を操作して文字を入力すると、図７（ａ）に示すように、入力された文字を適宜漢字変換してメール本文Ｍを作成し表示部１３に表示させていく。このときユーザは、メール本文Ｍ中において添付の画像を挿入したい箇所で、インライン指定用の特定文字（本実施の形態においては「カメラ絵文字」）を入力する。すると、ステップＳＡ６でメール本文中に特定文字の挿入があったと判断し（ステップＳＡ６：ＹＥＳ）、挿入箇所に特定文字を挿入して表示する（ステップＳＡ７）。このステップＳＡ７での処理により、図７（ｂ）に示すように、メール本文Ｍ中において、ユーザが挿入した箇所にカメラ絵文字からなる特定文字Ｌが表示部１３に表示されることとなる。
【００４５】
引き続き、画像メモリ２３に記憶されている画像のファイル名を表示する（ステップＳＡ８）。すなわち、画像メモリ２３には、撮像部（撮像レンズ１８、撮像モジュール１８１、ＤＳＰ１８２）で撮像され、画像プログラム領域２４２に格納されているプログラムにより圧縮符号化された画像ファイルや、ＷＷＷ５を介してダウンロードした画像ファイルがファイル名とともに格納されている。したがって、この画像メモリ２３から格納されている画像ファイルのファイル名を読み出して表示する。このステップＳＡ８での処理により、図７（ｃ）に示すように、「ぽち．ｊｐｇ」「ｇｏｔｏ．ｊｐｇ」等の画像ファイル名が表示部１３に表示されることとなる。
【００４６】
次に、この表示部１３に表示された画像ファイル名からいずれかの画像ファイル名が選択されるまで待機し（ステップＳＡ９）、選択されたならば、この選択された画像ファイル名を当該メールと関連付けて、その他・ワークメモリ２９４に記憶する（ステップＳＡ１０）。
【００４７】
このステップＳＡ１０に続くステップＳＡ１１では、送信指示が検出されたか否かを判断する。送信指示が検出されるまで、前述のメール作成処理（ステップＳＡ５）を実行する。この間ユーザーは、メール本文を入力作成するのみならず、「宛先」や「件名」等も入力する。これにより、図７（ｄ）に示すように、特定文字Ｌを含むメール本文Ｍとともに、「宛先」や「件名」が入力されたメールが完成することとなる。そして、送信指示が検出されたならば（ステップＳＡ１１；ＹＥＳ）、当該メールに、選択されたファイル名の画像データを添付してファイル名とともに送信する（ステップＳＡ１２）。このとき、例えば添付する画像データのファイル名を前記特定文字Ｌの文字コードを含むファイル名に変更する等により、当該画像データと前記特定文字Ｌとを関連付けて送信する。
【００４８】
他方、携帯電話１ｂの制御部２２は、ＲＯＭ２４に格納されているプログラムに基づき、着信受信待受け状態にあると、図８に示すフローチャートに従った処理も実行する。すなわち、メール受信が検出されたか否かを判断し（ステップＳＢ１）、メール受信が検出されたならば、報知デバイス１９２により報知スピーカ１９、バイブレータ１９１、ＬＥＤ１７１のいずれか少なくとも一つを駆動させて、メール受信を報知する（ステップＳＢ２）。引き続き、メールを受信して格納する（ステップＳＢ３）。このとき、受信したメールのヘッダー情報とメール本文のデータは、メールデータ格納領域２９２に格納し、メールにファイルが添付されている場合には、このファイルを添付ファイル格納領域２９３に格納する。
【００４９】
さらに、メール表示指示があったか否かを判断し（ステップＳＢ４）、メール表示指示があった場合には、メール本文中に前記特定文字Ｌが含まれているか否かを判断する（ステップＳＢ５）。特定文字Ｌが含まれていない場合には（ステップＳＢ５：ＮＯ）、通常のメール表示処理を行って（ステップＳＢ６）、メール本文等を表示部１３に表示させる。
【００５０】
また、メール本文中に特定文字Ｌが含まれている場合には（ステップＳＢ５：ＹＥＳ）、特定文字部分に画像を挿入してメール本文を表示する（ステップＳＢ７）。すなわち、図６のステップＳＡ１２で説明したように、メール本文中に特定文字Ｌが含まれている場合には、選択された画像ファイル名の画像データが添付ファイルとして、当該メールに添付されて送信される。このとき、例えば添付する画像データのファイル名を前記特定文字Ｌの文字コードを含むファイル名に変更する等により、当該画像データと前記特定文字Ｌとを関連付けて送信される。他方、図８のステップＳＢ３で説明したように、受信されたメールのメール本文はメールデータ格納領域２９２に格納され、メールにファイルが添付されている場合には、このファイルは添付ファイル格納領域２９３に格納される。
【００５１】
したがって、ステップＳＢ７においてはメール本文を表示するに際して、（特定文字Ｌの文字コードを含むファイル名によって）特定文字Ｌに関連付けられて添付ファイル格納領域２９３に格納されいる画像データを読み出し、メール本文中の特定文字Ｌの部分にこの読み出した画像データに基づく画像を挿入して、メール本文を表示する。よって、このステップＳＢ７での処理により、図９に示すように、メール本文Ｍの途中に前記画像データに基づく画像（写真）Ｐが挿入されて表示されることとなる。
【００５２】
なお、本実施の形態においては、特定文字Ｌとしてカメラ絵文字を用いるようにしがた、これに限ることなく他の絵文字、あるいは文字や数字であってもよい。但し、文字や数字を用いる場合には、メール本文において一般的に用いられない特殊な文字や特殊な組合せの数字とすることが好ましい。また、図８のフローチャートにおいては、ステップＳＢ５でメール本文中に特定文字がある場合にはステップＳＢ７で自動的に特定文字部分に画像を挿入したメール本文を表示するようにしたが、画像を挿入して表示するか否か指示に応じて、特定文字Ｌを含むメール本文をそのまま表示するか、画像を挿入して表示するかを選択できるようにしてもよい。したがって、この場合には特定文字Ｌを含むメール本文をそのまま表示することもでき、メール本文が読み易いものとなる。さらに、挿入される画像も静止画に限らず動画であってもよく、音声やメロディデータを画像に付加したデータであってもよい。
【００５３】
【発明の効果】
以上説明したように請求項１、１３、１６記載の発明によれば、文書とともに送信する出力データの存在により相対的に減少させることなく、長文の文書を文書作成時に表示させることができる。よって、前後の内容や脈絡を認識したり推敲しつつ文書を作成することができ、出力データとともに送信する文書を作成する際の作業の容易化を図ることができる。
【００５４】
また、請求項５、１４、１７記載の発明によれば、識別情報に対応する受信された出力データを出力することによって、表示されている受信文書に混在している識別情報の部分に替えて、出力データに基づく表示を行うことができる。
【００５５】
また、請求項９記載の発明によれば、送信装置側においては、文書とともに出力データを送信する場合であっても文書を作成する際の作業が容易となり、受信装置側においては出力データを含む文書の表示が可能となるシステムを確立することができる。
【００５６】
また、請求項１５及び１８記載の発明によれば、送信時においては、文書とともに出力データを送信する場合であっても文書を作成する際の作業が容易となり、受信時においては出力データを含む文書の表示が可能となる。
【図面の簡単な説明】
【図１】本発明の一実施の形態に係るメール送受信システムの構成を示すブロック図である。
【図２】（ａ）は本実施の形態における携帯電話の正面図、（ｂ）は背面図である。
【図３】携帯電話の構成を示すブロック図である。
【図４】ＲＯＭのメモリエリアの構成を示す概念図である。
【図５】ＲＡＭのメモリエリアの構成を示す概念図である。
【図６】携帯電話の制御部の処理手順を示すフローチャートである。
【図７】制御部の処理に伴う表示遷移図である。
【図８】携帯電話の制御部の処理手順を示すフローチャートである。
【図９】受信側携帯電話の表示例を示す図である。
【符号の説明】
１ａ    携帯電話
１ｂ    携帯電話
１３    表示部
１４    キー操作部
１８    撮像レンズ
２０    無線送受信部
２１    無線信号処理部
２２    制御部
２３    画像メモリ
２４    ＲＯＭ
２５    ドライバ
２９    ＲＡＭ
１４１    メールキー
１４２    アドレスキー
１４３    ファンクションキー
１８１    撮像モジュール
１８２    ＤＳＰ
２４１    メールソフトウェアプログラム領域
２４２    画像プログラム領域
２４２    画像処理プログラム領域
２４３    プログラム領域
２９１    アドレス帳データ格納領域
２９２    メールデータ格納領域
２９３    添付ファイル格納領域
２９４    ワークメモリ
Ｌ    特定文字
Ｍ    メール本文
【図１】
2004355180.tif 000003
【図２】
2004355180.tif 000004
【図３】
2004355180.tif 000005
【図４】
2004355180.tif 000006
【図５】
2004355180.tif 000007
【図６】
2004355180.tif 000008
【図７】
2004355180.tif 000009
【図８】
2004355180.tif 000010
【図９】
2004355180.tif 000011